(57)【要約】  プラズマディスプレイ装置において、第２の放電セルに誤放電が発生するのを防止し、画像表示品質の低下を防止する。そのために、第１のデータ電極と、第１のデータ電極が複数配置された領域の外側の領域に第１のデータ電極と平行に配置された第２のデータ電極とを有するプラズマディスプレイパネルを駆動する際に、初期化期間において走査電極に下り傾斜波形電圧を印加する際に第２のデータ電極に印加する電圧から第１のデータ電極に印加する電圧を減じた電圧を第１の電圧とし、書込み期間において第２のデータ電極に印加する電圧から第１のデータ電極に印加する書込みパルスの低圧側電圧を減じた電圧を第２の電圧とするとき、少なくとも１つのサブフィールドで第１の電圧を第２の電圧よりも高い電圧に設定する。
2012049840.tif 000002
【特許請求の範囲】
【請求項１】
初期化期間と書込み期間と維持期間とを有するサブフィールドを複数用いて１つのフィールドを構成し、互いに平行に配置された走査電極および維持電極と、前記走査電極と立体交差する方向に配置された第１のデータ電極と、前記第１のデータ電極が複数配置された領域の外側の領域に前記第１のデータ電極と平行に配置された第２のデータ電極とを有するプラズマディスプレイパネルを駆動するプラズマディスプレイパネルの駆動方法であって、
前記初期化期間において前記走査電極に下り傾斜波形電圧を印加する際に前記第２のデータ電極に印加する電圧から前記第１のデータ電極に印加する電圧を減じた電圧を第１の電圧とし、前記書込み期間において前記第２のデータ電極に印加する電圧から前記第１のデータ電極に印加する書込みパルスの低圧側電圧を減じた電圧を第２の電圧とするとき、
少なくとも１つのサブフィールドで前記第１の電圧を前記第２の電圧よりも高い電圧に設定する
ことを特徴とするプラズマディスプレイパネルの駆動方法。
【請求項２】
少なくとも１つのサブフィールドの前記初期化期間においては、前記走査電極に下り傾斜波形電圧を印加する際に、前記第２のデータ電極に正極性の電圧を印加するとともに前記第１のデータ電極に前記書込みパルスの低圧側電圧と等しい電圧を印加し、
他のサブフィールドの前記初期化期間においては、前記走査電極に下り傾斜波形電圧を印加する際に、前記第２のデータ電極に正極性の電圧を印加するとともに前記第１のデータ電極に正極性の電圧を印加する
ことを特徴とする請求項１に記載のプラズマディスプレイパネルの駆動方法。
【請求項３】
互いに平行に配置された走査電極および維持電極と、前記走査電極と立体交差する方向に配置された第１のデータ電極と、前記第１のデータ電極が複数配置された領域の外側の領域に前記第１のデータ電極と平行に配置された第２のデータ電極とを有するプラズマディスプレイパネルと、
初期化期間と書込み期間と維持期間とを有するサブフィールドを複数用いて１つのフィールドを構成するとともに駆動電圧波形を発生して前記プラズマディスプレイパネルの各電極に印加する駆動回路とを備えたプラズマディスプレイ装置であって、
前記駆動回路は、
前記初期化期間において前記走査電極に下り傾斜波形電圧を印加する際に前記第２のデータ電極に印加する電圧から前記第１のデータ電極に印加する電圧を減じた電圧を第１の電圧とし、前記書込み期間において前記第２のデータ電極に印加する電圧から前記第１のデータ電極に印加する書込みパルスの低圧側電圧を減じた電圧を第２の電圧とするとき、少なくとも１つのサブフィールドで前記第１の電圧を前記第２の電圧よりも高い電圧に設定する
ことを特徴とするプラズマディスプレイ装置。
【発明の詳細な説明】
【技術分野】
【０００１】
本発明は、交流面放電型のプラズマディスプレイパネルの駆動方法およびプラズマディスプレイ装置に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルを発光または非発光にすることにより階調表示を行う。各サブフィールドは、初期化期間、書込み期間および維持期間を有する。【０００６】
初期化期間では、各走査電極に初期化波形を印加し、各放電セルで初期化放電を発生する。【０００７】
書込み期間では、走査電極に走査パルスを順次印加するとともに、データ電極には表示すべき画像信号にもとづき選択的に書込みパルスを印加して、発光を行うべき放電セルに書込み放電を発生する。【０００８】
維持期間では、サブフィールド毎に定められた輝度重みにもとづく数の維持パルスを走査電極と維持電極とからなる表示電極対に交互に印加する。これにより、書込み放電を発生した放電セルを、輝度重みに応じた輝度で発光させる。このようにして、パネルの各放電セルを画像信号の階調値に応じた輝度で発光させて、パネルの画像表示領域に画像を表示する。【０００９】
ところで、このような構成のパネルにおいては、パネルの製造時において、パネルを焼成するときに、わずかではあるが隔壁が縮小する。そのため、パネルの周辺部では、パネルの焼成時に、パネルの内側に向かう張力が発生し、パネルの周辺部における放電セルの隔壁に変形が生じやすい。そして、データ電極の配列方向に関して両端にある領域では、放電セルの変形が生じたときに、放電特性にばらつきが発生しやすく、その結果、輝度ムラや誤放電を生じやすい。【００１０】
そのため、一般的には、パネルの周辺部、特にデータ電極の配列方向に関して両端にある領域に形成された放電セルは画像表示に用いない。【００１１】
以下、画像の表示に用いないパネル周辺部の領域を「非表示領域」と呼称し、画像の表示に用いるパネルの領域を「表示領域」と呼称する。【００１２】
また、画像表示に用いる放電セルを「第１の放電セル」または単に「放電セル」と呼称し、「非表示領域」にある放電セルを「第２の放電セル」と呼称する。【００１３】
また、第１の放電セルを形成するデータ電極を「第１のデータ電極」または単に「データ電極」と呼称し、第２の放電セルを形成するデータ電極を「第２のデータ電極」と呼称する。【００１４】
したがって、「非表示領域」は「表示領域」の外側、すなわちパネル１０の周辺領域に形成され、「第２の放電セル」の数は「第１の放電セル」の数と比較して少ない。【００１５】
そして、プラズマディスプレイ装置における画像表示品質の点において、「非表示領域」にある第２の放電セルは発光しないことが望ましい。【００１６】
そこで、第２の放電セルが発光しないように、いくつかの第２のデータ電極を電気的に互いに接続し、コンデンサを介して接地するとともに、コンデンサに並列に抵抗を接続したプラズマディスプレイ装置が開示されている（例えば、特許文献１参照）。【００１７】
近年では、パネルの高精細化および大画面化が進み、放電開始電圧が上昇する傾向にある。そのような、高精細化および大画面化したパネルでは、従来の駆動電圧より高い電圧を各電極に印加して放電を制御している。【００１８】
また、パネルの高輝度化、および表示画像の高コントラスト化のために、駆動電圧波形が高速化しかつ複雑化してきている。【００１９】
一方、パネルの製造上の問題として、パネル周辺部の誘電体層の膜厚が薄くなる傾向がある。そのため、パネル周辺部では、誘電体層での電圧降下が小さくなりやすく、第２の放電セルに大きな電圧が印加されやすい。【００２０】
また、第２の放電セルには蛍光体層を形成しないことが多い。これは、第２の放電セルに誤放電が発生したときに、不要な発光が生じるのを防止するためである。しかし、蛍光体層には、放電を阻害する働きがある。そのため、蛍光体層がない第２の放電セルでは、蛍光体層がある第１の放電セルと比較して、放電開始電圧が低下する。【００２１】
さらには、上述したように、パネルの周辺部における放電セルの隔壁には変形が生じやすい。そして、パネル周辺部の隔壁に隙間が発生すると、隣接セルの放電の影響を受けやすくなる。【００２２】
これらのことから、第２の放電セルは第１の放電セルに比べて放電が発生しやすくなってきており、特許文献１に記載された技術では、第２の放電セルに生じる放電を抑えることが困難になってきている。【００２３】
そして、第２の放電セルに誤放電が発生して第２の放電セルが発光すると、画像表示品質が低下する。
【先行技術文献】
【特許文献】
【００２４】
【特許文献１】特開２００５−９１５５５号公報
【発明の概要】
【００２５】
本発明は、初期化期間と書込み期間と維持期間とを有するサブフィールドを複数用いて１つのフィールドを構成し、互いに平行に配置された走査電極および維持電極と、走査電極と立体交差する方向に配置された第１のデータ電極と、第１のデータ電極が複数配置された領域の外側の領域に第１のデータ電極と平行に配置された第２のデータ電極とを有するパネルを駆動するパネルの駆動方法である。この駆動方法では、初期化期間において走査電極に下り傾斜波形電圧を印加する際に第２のデータ電極に印加する電圧から第１のデータ電極に印加する電圧を減じた電圧を第１の電圧とし、書込み期間において第２のデータ電極に印加する電圧から第１の電極に印加する書込みパルスの低圧側電圧を減じた電圧を第２の電圧とするとき、少なくとも１つのサブフィールドで第１の電圧を第２の電圧よりも高い電圧に設定する。
【００２６】
これにより、プラズマディスプレイ装置において、第２の放電セルに誤放電が発生するのを防止し、第２の放電セルの発光による画像表示品質の低下を防止することができる。
【００２７】
また、本発明のパネルの駆動方法においては、少なくとも１つのサブフィールドの初期化期間においては、走査電極に下り傾斜波形電圧を印加する際に、第２のデータ電極に正極性の電圧を印加するとともに第１のデータ電極に書込みパルスの低圧側電圧と等しい電圧を印加し、他のサブフィールドの初期化期間においては、走査電極に下り傾斜波形電圧を印加する際に、第２のデータ電極に正極性の電圧を印加するととも第１のデータ電極に正極性の電圧を印加してもよい。
【００２８】
また、本発明は、互いに平行に配置された走査電極および維持電極と、走査電極と立体交差する方向に配置された第１のデータ電極と、第１のデータ電極が複数配置された領域の外側の領域に第１のデータ電極と平行に配置された第２のデータ電極とを有するパネルと、初期化期間と書込み期間と維持期間とを有するサブフィールドを複数用いて１つのフィールドを構成するとともに駆動電圧波形を発生してパネルの各電極に印加する駆動回路とを備えたプラズマディスプレイ装置である。このプラズマディスプレイ装置において、駆動回路は、初期化期間において走査電極に下り傾斜波形電圧を印加する際に第２のデータ電極に印加する電圧から第１のデータ電極に印加する電圧を減じた電圧を第１の電圧とし、書込み期間において第２のデータ電極に印加する電圧から第１のデータ電極に印加する書込みパルスの低圧側電圧を減じた電圧を第２の電圧とするとき、少なくとも１つのサブフィールドで第１の電圧を第２の電圧よりも高い電圧に設定する。
【００２９】
この構成により、プラズマディスプレイ装置において、第２の放電セルに誤放電が発生するのを防止し、第２の放電セルの発光による画像表示品質の低下を防止することができる。
【図面の簡単な説明】
【００３０】
【図１】図１は、本発明の実施の形態１におけるプラズマディスプレイ装置に用いるパネルの構造を示す分解斜視図である。
【図２】図２は、本発明の実施の形態１におけるプラズマディスプレイ装置に用いるパネルの電極配列図である。
【図３】図３は、本発明の実施の形態１におけるプラズマディスプレイ装置に用いるパネルの各電極に印加する駆動電圧波形を概略的に示す図である。
【図４Ａ】図４Ａは、本発明の実施の形態１におけるプラズマディスプレイ装置の第１の放電セルの壁電圧の変化を示す図である。
【図４Ｂ】図４Ｂは、本発明の実施の形態１におけるプラズマディスプレイ装置の第２の放電セルの壁電圧の変化を示す図である。
【図５】図５は、本発明の実施の形態１におけるプラズマディスプレイ装置を構成する回路ブロックの一例を概略的に示す図である。
【図６】図６は、本発明の実施の形態１におけるプラズマディスプレイ装置の第１のデータ電極を駆動するデータ電極駆動回路の構成を概略的に示す回路図である。
【図７】図７は、本発明の実施の形態１におけるプラズマディスプレイ装置の第２のデータ電極を駆動する第２のデータ電極駆動回路の構成を概略的に示す回路図である。
【図８】図８は、本発明の実施の形態２におけるプラズマディスプレイ装置に用いるパネルの各電極に印加する駆動電圧波形を概略的に示す図である。
【図９】図９は、本発明の実施の形態２における強制初期化動作と選択初期化動作の発生パターンの一例を示す図である。
【図１０】図１０は、本発明の実施の形態２におけるプラズマディスプレイ装置に用いるパネルの各電極に印加する駆動電圧波形の他の例を概略的に示す図である。
【発明を実施するための形態】
【００３１】
以下、本発明の実施の形態におけるプラズマディスプレイ装置について、図面を用いて説明する。
【００３２】
（実施の形態１）
図１は、本発明の実施の形態１におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００３３】
この保護層２６は、放電セルにおける放電開始電圧を下げ放電を発生しやすくするために、ネオン（Ｎｅ）とキセノン（Ｘｅ）の混合ガスを封入した場合に電子放出性能が高く耐久性に優れた酸化マグネシウム（ＭｇＯ）を主成分とする材料で形成されている。
【００３４】
背面基板３１上には、表示領域に第１のデータ電極３２が複数形成され、第１のデータ電極３２が複数配置された領域の外側（パネル１０の端部側）の領域である非表示領域に第１のデータ電極３２と平行に第２のデータ電極３９が複数形成されている。そして第１のデータ電極３２と第２のデータ電極３９とを覆うように誘電体層３３が形成され、さらにその上に井桁状の隔壁３４が形成されている。そして、隔壁３４の側面および誘電体層３３上には赤色（Ｒ）に発光する蛍光体層３５Ｒ、緑色（Ｇ）に発光する蛍光体層３５Ｇ、および青色（Ｂ）に発光する蛍光体層３５Ｂが設けられている。以下、蛍光体層３５Ｒ、蛍光体層３５Ｇ、蛍光体層３５Ｂをまとめて蛍光体層３５と記す。
【００３５】
これら前面基板２１と背面基板３１とを、微小な放電空間を挟んで表示電極対２４と第１のデータ電極３２とが立体交差するように対向配置する。そして、その外周部をガラスフリット等の封着材によって封着する。そして、その内部の放電空間には、例えばネオンとキセノンの混合ガスを放電ガスとして封入する。
【００３６】
放電空間は隔壁３４によって複数の区画に仕切られており、表示電極対２４と第１のデータ電極３２とが交差する部分に第１の放電セルが形成されている。
【００３７】
そして、これらの第１の放電セルで放電を発生し、第１の放電セルの蛍光体層３５を発光（第１の放電セルを点灯）することにより、パネル１０にカラーの画像を表示する。
【００３８】
なお、パネル１０においては、表示電極対２４が延伸する方向に配列された連続する３つの放電セルで１つの画素を構成する。この３つの放電セルとは、蛍光体層３５Ｒを有し赤色（Ｒ）に発光する放電セル（赤の放電セル）と、蛍光体層３５Ｇを有し緑色（Ｇ）に発光する放電セル（緑の放電セル）と、蛍光体層３５Ｂを有し青色（Ｂ）に発光する放電セル（青の放電セル）である。
【００３９】
なお、図１には、第２のデータ電極３９がパネル１０に３本形成されている例を示しているが、本発明は何ら第２のデータ電極３９の数を３本に限定するものではない。
【００４０】
なお、図１のパネル１０には、第２のデータ電極３９を覆う誘電体層３３上および隔壁３４の側面に蛍光体層３５を設けない例を示している。しかし、本発明は何らこの構成に限定されるものではなく、この領域に蛍光体層３５を設けてもよい。ただし、この領域は非表示領域であるので、蛍光体層３５を設けない方が望ましい。
【００４１】
なお、パネル１０の構造は上述したものに限られるわけではなく、例えばストライプ状の隔壁を備えたものであってもよい。
【００４２】
図２は、本発明の実施の形態１におけるプラズマディスプレイ装置に用いるパネル１０の電極配列図である。パネル１０の表示領域には、水平方向（行方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、垂直方向（列方向）に延長されたｍ本の第１のデータ電極Ｄ１〜第１のデータ電極Ｄｍ（図１の第１のデータ電極３２）が配列されている。
【００４３】
そして、１対の走査電極ＳＣｉ（ｉ＝１〜ｎ）および維持電極ＳＵｉと１つの第１のデータ電極Ｄｊ（ｊ＝１〜ｍ）とが交差した部分に第１の放電セルが形成される。すなわち、１対の表示電極対２４上には、ｍ個の第１の放電セルが形成され、ｍ／３個の画素が形成される。そして、第１の放電セルは放電空間内にｍ×ｎ個形成され、ｍ×ｎ個の第１の放電セルが形成された領域がパネル１０の表示領域となる。例えば、画素数が１９２０×１０８０個のパネルでは、ｍ＝１９２０×３となり、ｎ＝１０８０となる。
【００４４】
また、パネル１０の左右の周辺の非表示領域には、それぞれ第２のデータ電極３９を有する第２の放電セルが複数形成されている。なお、図２には、第２のデータ電極３９を、パネル１０の左右の周辺の非表示領域にそれぞれ２本ずつ設けた例を示している。
【００４５】
以下、第１の放電セルを単に「放電セル」と呼称し、第１のデータ電極を単に「データ電極」と呼称する。
【００４６】
次に、パネル１０を駆動するための駆動電圧波形とその動作の概要について説明する。
【００４７】
本実施の形態におけるプラズマディスプレイ装置は、サブフィールド法によってパネル１０を駆動する。サブフィールド法では、１フィールドを時間軸上で複数のサブフィールドに分割し、各サブフィールドに輝度重みをそれぞれ設定する。したがって、各フィールドはそれぞれ複数のサブフィールドを有する。そして、サブフィールド毎に各放電セルの発光・非発光を制御することによりパネル１０に画像を表示する。
【００４８】
それぞれのサブフィールドは初期化期間、書込み期間および維持期間を有する。
【００４９】
初期化期間では、放電セルに初期化放電を発生し、続く書込み期間における書込み放電に必要な壁電荷を各電極上に形成する初期化動作を行う。
【００５０】
初期化動作には、直前のサブフィールドの動作にかかわらず放電セルに強制的に初期化放電を発生する強制初期化動作と、直前のサブフィールドの書込み期間で書込み放電を発生し維持期間で維持放電を発生した放電セルだけに選択的に初期化放電を発生する選択初期化動作とがある。強制初期化動作では上昇する上り傾斜波形電圧および下降する下り傾斜波形電圧を走査電極２２に印加し、画像表示領域内の全ての放電セルに初期化放電を発生する。以下、強制初期化動作を行う初期化期間を「強制初期化期間」と記し、選択初期化動作を行う初期化期間を「選択初期化期間」と記す。
【００５１】
書込み期間では、走査電極２２に走査パルスを印加するとともにデータ電極３２に選択的に書込みパルスを印加し、発光するべき放電セルに選択的に書込み放電を発生する。そして、続く維持期間で維持放電を発生するための壁電荷をその放電セル内に形成する書込み動作を行う。
【００５２】
維持期間では、それぞれのサブフィールドに設定された輝度重みに所定の比例定数を乗じた数の維持パルスを走査電極２２および維持電極２３に交互に印加し、直前の書込み期間に書込み放電を発生した放電セルで維持放電を発生し、その放電セルを発光する維持動作を行う。この比例定数が輝度倍数である。
【００５３】
輝度重みとは、各サブフィールドで表示する輝度の大きさの比を表すものであり、各サブフィールドでは輝度重みに応じた数の維持パルスを維持期間に発生する。そのため、例えば、輝度重み「８」のサブフィールドは、輝度重み「１」のサブフィールドの約８倍の輝度で発光し、輝度重み「２」のサブフィールドの約４倍の輝度で発光する。
【００５４】
また、例えば、輝度倍数が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。
【００５５】
こうして、画像信号に応じた組合せでサブフィールド毎に各放電セルの発光・非発光を制御して各サブフィールドを選択的に発光することにより、様々な階調値を各放電セルに表示し、パネル１０に画像を表示することができる。
【００５６】
なお、本実施の形態では、１フィールドを１０のサブフィールド（サブフィールドＳＦ１、サブフィールドＳＦ２、・・・、サブフィールドＳＦ１０）で構成し、サブフィールドＳＦ１からサブフィールドＳＦ１０の各サブフィールドはそれぞれ（１、２、３、６、１１、１８、３０、４４、６０、８０）の輝度重みを有する例を説明する。
【００５７】
そして、複数のサブフィールドのうち、１つのサブフィールドの初期化期間においては強制初期化動作を行い、他のサブフィールドの初期化期間においては、選択初期化動作を行うものとする。以下、強制初期化期間を有するサブフィールドを「強制初期化サブフィールド」と記し、選択初期化期間を有するサブフィールドを「選択初期化サブフィールド」と記す。
【００５８】
本実施の形態では、各フィールドの最初のサブフィールド（サブフィールドＳＦ１）を強制初期化サブフィールドとし、他のサブフィールド（サブフィールドＳＦ２からサブフィールドＳＦ１０）は選択初期化サブフィールドとする。
【００５９】
これにより、少なくとも１フィールドに１回は全ての放電セルで初期化放電を発生するので、強制初期化動作以降の書込み動作を安定化することができる。また、画像の表示に関係のない発光はサブフィールドＳＦ１における強制初期化動作の放電にともなう発光のみとなる。したがって、維持放電を発生しない黒を表示する領域の輝度である黒輝度は強制初期化動作における微弱発光だけとなり、パネル１０にコントラストの高い画像を表示することが可能となる。
【００６０】
しかし、本発明は１フィールドを構成するサブフィールドの数や各サブフィールドの輝度重みが上述した数値に限定されるものではない。また、画像信号等にもとづいてサブフィールド構成を切り換えてもよい。
【００６１】
図３は、本発明の実施の形態１におけるプラズマディスプレイ装置に用いるパネル１０の各電極に印加する駆動電圧波形を概略的に示す図である。図３には、書込み期間において最初に書込み動作を行う走査電極ＳＣ１、書込み期間において最後に書込み動作を行う走査電極ＳＣｎ（例えば、走査電極ＳＣ１０８０）、維持電極ＳＵ１〜維持電極ＳＵｎ、データ電極Ｄ１〜データ電極Ｄｍ、および第２のデータ電極３９のそれぞれに印加する駆動電圧波形を示す。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００６２】
また、図３には、サブフィールドＳＦ１、サブフィールドＳＦ２、サブフィールドＳＦ３の３つのサブフィールドの駆動電圧波形を示す。サブフィールドＳＦ１は強制初期化動作を行うサブフィールドであり、サブフィールドＳＦ２、サブフィールドＳＦ３は選択初期化動作を行うサブフィールドである。したがって、サブフィールドＳＦ１と、サブフィールドＳＦ２およびサブフィールドＳＦ３とでは、初期化期間に走査電極２２に印加する駆動電圧の波形形状が異なる。なお、他のサブフィールドにおける駆動電圧波形は、維持期間における維持パルスの発生数が異なる以外はサブフィールドＳＦ２、サブフィールドＳＦ３の駆動電圧波形とほぼ同様である。
【００６３】
まず、強制初期化サブフィールドであるサブフィールドＳＦ１について説明する。
【００６４】
強制初期化動作を行うサブフィールドＳＦ１の初期化期間の前半部では、データ電極Ｄ１〜データ電極Ｄｍに電圧０（Ｖ）を印加し、維持電極ＳＵ１〜維持電極ＳＵｎにも電圧０（Ｖ）を印加する。また、第２のデータ電極３９にも電圧０（Ｖ）を印加する。
【００６５】
走査電極ＳＣ１〜走査電極ＳＣｎには、電圧０（Ｖ）を印加した後に電圧Ｖｉ１を印加し、電圧Ｖｉ１から電圧Ｖｉ２に向かって緩やかに上昇する上り傾斜波形電圧（ランプ電圧）を印加する。電圧Ｖｉ１は、放電セルに放電が発生しない電圧に設定し、電圧Ｖｉ２は、直前のサブフィールドの動作にかかわらず放電セルに初期化放電を発生する電圧よりも高い電圧に設定する。
【００６６】
このランプ電圧が上昇する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負極性の壁電圧が蓄積され、データ電極Ｄ１〜データ電極Ｄｍ上および維持電極ＳＵ１〜維持電極ＳＵｎ上には正極性の壁電圧が蓄積される。この電極上の壁電圧とは、電極を覆う誘電体層上、保護層上、蛍光体層上等に蓄積された壁電荷により生じる電圧を表す。
【００６７】
また、このとき、第２の放電セルにおいて、走査電極ＳＣ１〜走査電極ＳＣｎと維持電極ＳＵ１〜維持電極ＳＵｎとの間、および走査電極ＳＣ１〜走査電極ＳＣｎと第２のデータ電極３９との間でそれぞれ微弱な初期化放電が発生する。そして、第２のデータ電極３９上に正極性の壁電圧が蓄積する。この詳細については後述する。
【００６８】
サブフィールドＳＦ１の初期化期間の後半部では、維持電極ＳＵ１〜維持電極ＳＵｎには正極性の電圧Ｖｅを印加し、データ電極Ｄ１〜データ電極Ｄｍには電圧０（Ｖ）を印加する。このとき、第２のデータ電極３９には正極性の電圧Ｖｘを印加する。
【００６９】
走査電極ＳＣ１〜走査電極ＳＣｎには、電圧Ｖｉ３から負極性の電圧Ｖｉ４に向かって緩やかに下降する下り傾斜波形電圧（ランプ電圧）を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【００７０】
このランプ電圧を走査電極ＳＣ１〜走査電極ＳＣｎに印加する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負極性の壁電圧および維持電極ＳＵ１〜維持電極ＳＵｎ上の正極性の壁電圧が弱められ、データ電極Ｄ１〜データ電極Ｄｍ上の正極性の壁電圧は、過剰な部分が放電され、書込み動作に適した壁電圧に調整される。
【００７１】
また、このとき、第２の放電セルの走査電極ＳＣ１〜走査電極ＳＣｎと維持電極ＳＵ１〜維持電極ＳＵｎとの間、および走査電極ＳＣ１〜走査電極ＳＣｎと第２のデータ電極３９との間でそれぞれ微弱な初期化放電が発生する。そして第２のデータ電極３９上の正極性の壁電圧が弱められる。
【００７２】
以上により、サブフィールドＳＦ１の初期化期間における強制初期化動作が終了し、全ての放電セルにおいて、続く書込み動作に必要な壁電荷が各電極上に形成される。
【００７３】
続くサブフィールドＳＦ１の書込み期間では、維持電極ＳＵ１〜維持電極ＳＵｎには電圧Ｖｅを印加し、データ電極Ｄ１〜データ電極Ｄｍには電圧０（Ｖ）を印加し、走査電極ＳＣ１〜走査電極ＳＣｎには電圧Ｖｃを印加する。このとき第２のデータ電極３９には電圧０（Ｖ）を印加する。
【００７４】
次に、最初に書込み動作を行う１行目の走査電極ＳＣ１に電圧Ｖａの負極性の走査パルスを印加するとともに、データ電極Ｄ１〜データ電極Ｄｍのうちの１行目において発光するべき放電セルのデータ電極Ｄｋに電圧Ｖｄの正極性の書込みパルスを印加する。
【００７５】
書込みパルス電圧Ｖｄを印加したデータ電極Ｄｋと走査パルス電圧Ｖａを印加した走査電極ＳＣ１との交差部にある放電セルでは、データ電極Ｄｋと走査電極ＳＣ１との間に放電が発生する。
【００７６】
また、維持電極ＳＵ１〜維持電極ＳＵｎに電圧Ｖｅを印加しているため、データ電極Ｄｋと走査電極ＳＣ１との間に発生する放電に誘発されて、データ電極Ｄｋと交差する領域にある維持電極ＳＵ１と走査電極ＳＣ１との間にも放電が発生する。こうして、走査パルス電圧Ｖａと書込みパルス電圧Ｖｄとが同時に印加された放電セル（発光するべき放電セル）に書込み放電が発生する。そして、走査電極ＳＣ１上に正極性の壁電圧が蓄積され、維持電極ＳＵ１上に負極性の壁電圧が蓄積され、データ電極Ｄｋ上にも負極性の壁電圧が蓄積される。
【００７７】
このようにして、１行目の放電セルにおける書込み動作が終了する。なお、書込みパルス電圧Ｖｄを印加しなかった放電セルでは、書込み放電は発生しない。
【００７８】
次に、２行目の走査電極ＳＣ２に走査パルス電圧Ｖａを印加するとともに、２行目に発光するべき放電セルに対応するデータ電極Ｄｋに書込みパルス電圧Ｖｄを印加し、２行目の放電セルにおける書込み動作を行う。
【００７９】
同様の書込み動作を、走査電極ＳＣ３、走査電極ＳＣ４、・・・、走査電極ＳＣｎという順番で、ｎ行目の放電セルに至るまで順次行い、サブフィールドＳＦ１の書込み期間が終了する。
【００８０】
この書込み期間において、第２の放電セルに放電（誤放電）は発生しない。
【００８１】
続くサブフィールドＳＦ１の維持期間では、データ電極Ｄ１〜データＤｍに電圧０（Ｖ）を印加し、第２のデータ電極３９にも電圧０（Ｖ）を印加する。そして、維持電極ＳＵ１〜維持電極ＳＵｎに電圧０（Ｖ）を印加するとともに、走査電極ＳＣ１〜走査電極ＳＣｎに電圧Ｖｓの正極性の維持パルスを印加する。
【００８２】
この維持パルス電圧Ｖｓの印加により、書込み放電を発生した放電セルでは、走査電極ＳＣｉと維持電極ＳＵｉとの電圧差は、電圧Ｖｓに走査電極ＳＣｉ上の壁電圧と維持電極ＳＵｉ上の壁電圧との差を加算したものとなり放電開始電圧を超える。そして、走査電極ＳＣｉと維持電極ＳＵｉとの間に維持放電が発生する。
【００８３】
維持放電が発生した放電セルでは、この維持放電により発生した紫外線により蛍光体層３５が発光する。また、この放電により、走査電極ＳＣｉ上に負極性の壁電圧が蓄積され、維持電極ＳＵｉ上に正極性の壁電圧が蓄積される。さらに、データ電極Ｄｋ上にも正極性の壁電圧が蓄積される。ただし、書込み期間において書込み放電が発生しなかった放電セルでは維持放電は発生せず、初期化動作の終了時における壁電圧が保たれる。
【００８４】
続いて、走査電極ＳＣ１〜走査電極ＳＣｎに電圧０（Ｖ）を印加し、維持電極ＳＵ１〜維持電極ＳＵｎに電圧Ｖｓの維持パルスを印加する。直前に維持放電を発生した放電セルでは再び維持放電が発生し、蛍光体層３５が発光する。そして、その放電セルでは維持電極ＳＵｉ上に負極性の壁電圧が蓄積され、走査電極ＳＣｉ上に正極性の壁電圧が蓄積される。
【００８５】
以降同様に、走査電極ＳＣ１〜走査電極ＳＣｎと維持電極ＳＵ１〜維持電極ＳＵｎとに、輝度重みに所定の輝度倍数を乗じた数の維持パルスを交互に印加する。こうして、書込み期間において書込み放電を発生した放電セルに、輝度重みに応じた回数の維持放電を継続して発生し、その放電セルを輝度重みに応じた輝度で発光する。
【００８６】
そして、維持期間における維持パルスの発生後に、維持電極ＳＵ１〜維持電極ＳＵｎ、データ電極Ｄ１〜データ電極Ｄｍおよび第２のデータ電極３９に電圧０（Ｖ）を印加したまま、走査電極ＳＣ１〜走査電極ＳＣｎに電圧０（Ｖ）から電圧Ｖｒに向かって緩やかに上昇する傾斜波形電圧（ランプ電圧）を印加する。
【００８７】
このランプ電圧を走査電極ＳＣ１〜走査電極ＳＣｎへ印加する間に、維持放電を発生した放電セルに微弱な放電が発生する。この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正極性の壁電圧を残したまま、走査電極ＳＣｉおよび維持電極ＳＵｉ上の壁電圧が弱められる。すなわち、放電セル内における不要な壁電荷が消去される。
【００８８】
走査電極ＳＣ１〜走査電極ＳＣｎに印加する電圧が電圧Ｖｒに到達したら、走査電極ＳＣ１〜走査電極ＳＣｎへの印加電圧を電圧０（Ｖ）まで下降する。こうして、サブフィールドＳＦ１の維持期間における維持動作が終了する。
【００８９】
この維持期間においても、第２の放電セルに放電（誤放電）は発生しない。
【００９０】
以上により、サブフィールドＳＦ１が終了する。
【００９１】
次に、選択初期化サブフィールドであるサブフィールドＳＦ２について説明する。
【００９２】
サブフィールドＳＦ２の初期化期間では、維持電極ＳＵ１〜維持電極ＳＵｎには電圧Ｖｅを印加し、データ電極Ｄ１〜データ電極Ｄｍには電圧０（Ｖ）を印加する。このとき第２のデータ電極３９には正極性の電圧Ｖｘを印加する。
【００９３】
走査電極ＳＣ１〜走査電極ＳＣｎには放電開始電圧未満となる電圧（例えば、電圧０（Ｖ））から負極性の電圧Ｖｉ４に向かって緩やかに下降する傾斜波形電圧（ランプ電圧）を印加する。電圧Ｖｉ４は、維持電極ＳＵ１〜維持電極ＳＵｎに対して放電開始電圧を超える電圧に設定する。
【００９４】
このランプ電圧を走査電極ＳＣ１〜走査電極ＳＣｎに印加する間に、直前のサブフィールド（図３では、サブフィールドＳＦ１）の維持期間に維持放電を発生した放電セルでは、微弱な初期化放電が発生する。そして、この初期化放電により、走査電極ＳＣｉ上および維持電極ＳＵｉ上の壁電圧が弱められる。また、データ電極Ｄｋ上に蓄積された壁電圧の過剰な部分が放電され、データ電極Ｄｋ上の壁電圧は書込み動作に適した壁電圧に調整される。
【００９５】
一方、直前のサブフィールド（サブフィールドＳＦ１）の維持期間に維持放電を発生しなかった放電セルでは、初期化放電は発生せず、それ以前の壁電圧が保たれる。
【００９６】
このように、サブフィールドＳＦ２における初期化動作は、直前のサブフィールドの書込み期間で書込み動作を行った放電セルで選択的に初期化放電を発生する選択初期化動作となる。
【００９７】
このとき、通常は、第２の放電セルで放電は発生しない。ただし、第２の放電セルの中には、隔壁３４に変形が生じる等して周辺の放電セルから電荷がもれ込み、誤放電の原因となる過剰な正の壁電圧を蓄積しているものがある。そして、このような第２の放電セルでは、微弱な放電が発生して壁電圧が弱められる。
【００９８】
以上により、サブフィールドＳＦ２の初期化期間における選択初期化動作が終了する。
【００９９】
サブフィールドＳＦ２の書込み期間では、サブフィールドＳＦ１の書込み期間と同様の駆動電圧波形を各電極に印加する。すなわち、データ電極Ｄ１〜データ電極Ｄｍに電圧０（Ｖ）を印加し、維持電極ＳＵ１〜維持電極ＳＵｎに電圧Ｖｅを印加し、第２のデータ電極３９に電圧０（Ｖ）を印加する。そして走査電極ＳＣ１〜走査電極ＳＣｎに電圧Ｖａの走査パルスを順次印加するとともに、発光すべき放電セルに対応するデータ電極Ｄｋに電圧Ｖｄの書込みパルスを印加する。こうして、発光するべき放電セルの各電極上に壁電圧を蓄積する書込み動作を行う。
【０１００】
続く維持期間も、維持パルスの発生数を除き、サブフィールドＳＦ１の維持期間と同様の駆動電圧波形を各電極に印加する。すなわち、第２のデータ電極３９には電圧０（Ｖ）を印加し、輝度重みに応じた数の維持パルスを走査電極ＳＣ１〜走査電極ＳＣｎと維持電極ＳＵ１〜維持電極ＳＵｎとに交互に印加し、書込み期間において書込み放電を発生した放電セルに維持放電を発生する。その後に、電圧０（Ｖ）から電圧Ｖｒに向かって緩やかに上昇する上り傾斜波形電圧を走査電極ＳＣ１〜走査電極ＳＣｎに印加して、データ電極Ｄｋ上の正の壁電圧を残したまま、走査電極ＳＣｉ上および維持電極ＳＵｉ上の壁電圧を弱める。
【０１０１】
サブフィールドＳＦ３以降の各サブフィールドの初期化期間および書込み期間では、各電極に対してサブフィールドＳＦ２の初期化期間および書込み期間と同様の駆動電圧波形を印加する。また、サブフィールドＳＦ３以降の各サブフィールドの維持期間では、維持期間に発生する維持パルスの数を除き、サブフィールドＳＦ２と同様の駆動電圧波形を各電極に印加する。
【０１０２】
以上が、本実施の形態においてパネル１０の各電極に印加する駆動電圧波形の概要である。
【０１０３】
なお、本実施の形態においては、各電極に印加する電圧値を、例えば、電圧Ｖｉ１＝１５０（Ｖ）、電圧Ｖｉ２＝３５０（Ｖ）、電圧Ｖｉ３＝２００（Ｖ）、電圧Ｖｉ４＝−１７０（Ｖ）、電圧Ｖｃ＝−５０（Ｖ）、電圧Ｖａ＝−２００（Ｖ）、電圧Ｖｓ＝２００（Ｖ）、電圧Ｖｒ＝２００（Ｖ）、電圧Ｖｅ＝１７０（Ｖ）、電圧Ｖｄ＝６０（Ｖ）、電圧Ｖｘ＝６０（Ｖ）に設定している。
【０１０４】
また、サブフィールドＳＦ１の初期化期間において走査電極ＳＣ１〜走査電極ＳＣｎに印加する上り傾斜波形電圧は勾配を１．５（Ｖ／μｓｅｃ）に設定している。また、サブフィールドＳＦ１からサブフィールドＳＦ１０の各初期化期間において走査電極ＳＣ１〜走査電極ＳＣｎに印加する下り傾斜波形電圧は勾配を−１．５（Ｖ／μｓｅｃ）に設定し、維持期間の最後に走査電極ＳＣ１〜走査電極ＳＣｎに印加する上りの傾斜波形電圧は勾配を１０（Ｖ／μｓｅｃ）に設定している。
【０１０５】
なお、上述した電圧値や傾斜波形電圧における勾配等の具体的な数値は単なる一例に過ぎず、本発明は、各電圧値や勾配が上述した数値に限定されるものではない。各電圧値や勾配等は、パネルの放電特性やプラズマディスプレイ装置の仕様等にもとづき最適に設定することが望ましい。
【０１０６】
なお、上述したサブフィールド構成は本実施の形態における単なる一例に過ぎず、本発明は何らこのサブフィールド構成に限定されるものではない。１フィールドを構成するサブフィールドの数および各サブフィールドの輝度重みは、パネルの特性やプラズマディスプレイ装置の仕様等に応じて最適に設定することが望ましい。
【０１０７】
次に、図３に示した駆動電圧波形を第２のデータ電極３９に印加することにより、第２の放電セルに放電（誤放電）が発生するのを防止することができる理由について説明する。
【０１０８】
まず、表示領域の放電セルの壁電圧の変化について説明する。
【０１０９】
図４Ａは、本発明の実施の形態１におけるプラズマディスプレイ装置の第１の放電セルの壁電圧の変化を示す図である。図４Ａには、走査電極２２側を基準とした電圧を示している。
【０１１０】
図４Ａにおいて、破線は、放電セルに外部から印加する電圧である電圧Ｖｓｕｐを示す。電圧Ｖｓｕｐは、データ電極３２に印加する電圧と走査電極２２に印加する電圧との差の電圧である。
【０１１１】
図４Ａにおいて、太い実線は電圧Ｖｃｅｌを示す。電圧Ｖｃｅｌは、放電セル内部のデータ電極３２と走査電極２２との間に実質的に印加される電圧である。
【０１１２】
図４Ａにおいて、細い実線は電圧Ｖｗａｌを示す。電圧Ｖｗａｌは、データ電極３２に蓄積された壁電圧と走査電極２２に蓄積された壁電圧との差の電圧である。
【０１１３】
また、放電開始電圧ＶＦｄｓは、データ電極３２を陽極とし走査電極２２を陰極とする放電開始電圧であり、放電開始電圧ＶＦｓｄは、データ電極３２を陰極とし走査電極２２を陽極とする放電開始電圧である。
【０１１４】
なお、走査電極２２側には電子放出性能の高い酸化マグネシウムの保護層２６が形成されているため、放電開始電圧ＶＦｄｓは放電開始電圧ＶＦｓｄよりも低くなる。
【０１１５】
ここで、放電セル内部に実質的に印加される電圧Ｖｃｅｌは、外部から印加する電圧Ｖｓｕｐと壁電荷による電圧Ｖｗａｌとの和である。また、電圧Ｖｃｅｌが、放電開始電圧ＶＦｄｓと放電開始電圧ＶＦｓｄとの間の電圧であれば、放電セルに放電は発生しない。
【０１１６】
初期化期間の前半部では、走査電極２２に上り傾斜波形電圧を印加する。そして、時刻ｔ１で放電セル内部の電圧Ｖｃｅｌが放電開始電圧ＶＦｓｄを超えると、放電セルに微弱な放電が発生する。そして、電圧Ｖｓｕｐを打ち消す壁電圧Ｖｗａｌが放電セル内に蓄積されて、放電セル内部の電圧Ｖｃｅｌは、放電開始電圧ＶＦｓｄにほぼ等しい電圧を保つ。
【０１１７】
初期化期間の後半部では、走査電極２２に下り傾斜波形電圧を印加する。放電セル内部には壁電圧Ｖｗａｌが蓄積されているので、外部から印加する電圧Ｖｓｕｐに壁電圧Ｖｗａｌが加算される。時刻ｔ２で放電セル内部の電圧Ｖｃｅｌが電開始電圧ＶＦｄｓを超えると、放電セルに微弱な放電が発生する。そして、電圧Ｖｓｕｐを打ち消す壁電圧Ｖｗａｌが放電セル内に蓄積されて、放電セル内部の電圧Ｖｃｅｌは、放電開始電圧ＶＦｄｓにほぼ等しい電圧を保つ。
【０１１８】
そして、書込み期間において走査電極２２に走査パルスを印加すると、放電セル内部の電圧Ｖｃｅｌは、放電開始電圧ＶＦｄｓにほぼ等しい電圧になる。したがって、この時点でデータ電極３２に書込みパルスを印加すると、放電セル内部の電圧Ｖｃｅｌは放電開始電圧ＶＦｄｓを大きく超えて、放電セルに書込み放電が発生する。
【０１１９】
次に、非表示領域の第２の放電セルの壁電圧の変化について説明する。
【０１２０】
図４Ｂは、本発明の実施の形態１におけるプラズマディスプレイ装置の第２の放電セルの壁電圧の変化を示す図である。図４Ｂにも、図４Ａと同様に、走査電極２２側を基準とした電圧を示している。
【０１２１】
図４Ｂにおいて、破線は、第２の放電セルに外部から印加する電圧である電圧Ｖｓｕｐ’を示す。電圧Ｖｓｕｐ’は、データ電極３２に印加する電圧と走査電極２２に印加する電圧との差の電圧である。
【０１２２】
図４Ｂにおいて、太い実線は電圧Ｖｃｅｌ’を示す。電圧Ｖｃｅｌ’は、第２の放電セル内部のデータ電極３２と走査電極２２との間に実質的に印加される電圧である。
【０１２３】
図４Ｂにおいて、細い実線は電圧Ｖｗａｌ’を示す。電圧Ｖｗａｌ’は、第２のデータ電極３９に蓄積された壁電圧と走査電極２２に蓄積された壁電圧との差の電圧である。
【０１２４】
また、放電開始電圧ＶＦｄｓ’は、第２のデータ電極３９を陽極とし走査電極２２を陰極とする放電開始電圧であり、放電開始電圧ＶＦｓｄ’は、第２のデータ電極３９を陰極とし走査電極２２を陽極とする放電開始電圧である。
【０１２５】
初期化期間の前半部では、走査電極２２に上り傾斜波形電圧を印加する。そして、時刻ｔ１’で第２の放電セル内部の電圧Ｖｃｅｌ’が放電開始電圧ＶＦｓｄ’を超えると、第２の放電セルに微弱な放電が発生する。そして、外部から印加する電圧Ｖｓｕｐ’を打ち消す壁電圧Ｖｗａｌ’が第２の放電セル内に蓄積されて、第２の放電セル内部の電圧Ｖｃｅｌ’は、放電開始電圧ＶＦｓｄ’にほぼ等しい電圧を保つ。
【０１２６】
ここまでの第２の放電セルの動作は、図４Ａに示した第１の放電セルの動作とほぼ同じである。
【０１２７】
初期化期間の後半部では、走査電極２２に下り傾斜波形電圧を印加する。しかし、このとき、第２のデータ電極３９に正極性の電圧Ｖｘを印加する。そのため、第２の放電セルに外部から印加する電圧Ｖｓｕｐ’は、表示領域内部の第１の放電セルに外部から印加する電圧Ｖｓｕｐとは大きく異なる。
【０１２８】
第２の放電セル内部では、外部から印加する電圧Ｖｓｕｐ’に壁電圧Ｖｗａｌ’が加算されて、電圧Ｖｃｅｌ’は時刻ｔ２よりも早い時刻ｔ３で電開始電圧ＶＦｄｓ’を超える。これにより、第２の放電セル内に微弱な放電が発生する。そして、外部から印加する電圧Ｖｓｕｐ’を打ち消す壁電圧Ｖｗａｌ’が第２の放電セル内に蓄積され、第２の放電セル内部の電圧Ｖｃｅｌ’はほぼ放電開始電圧ＶＦｄｓ’に等しい電圧を保つ。
【０１２９】
そして、書込み期間においては、第２のデータ電極３９に正極性の電圧Ｖｘを印加することなく走査電極２２に走査パルスを印加する。そのため、第２の放電セル内部の電圧Ｖｃｅｌ’は、放電開始電圧ＶＦｄｓ’に達しない。したがって、第２の放電セルでは、書込み期間に放電（誤放電）は発生しない。
【０１３０】
また、第２の放電セルでは、書込み期間に放電が発生しないので、維持期間においても第２の放電セル内部の電圧Ｖｃｅｌ’は、放電開始電圧ＶＦｄｓ’および放電開始電圧ＶＦｓｄ’を越えない。したがって、第２の放電セルでは、維持期間に維持放電は発生しない。
【０１３１】
このように、本実施の形態では、初期化期間において、走査電極２２に下り傾斜波形電圧を印加するとともに第２のデータ電極３９に正極性の電圧Ｖｘを印加して、走査電極２２と第２のデータ電極３９との間で積極的に放電を発生させる。これにより、書込み期間および維持期間を通じて、第２の放電セル内部の電圧Ｖｃｅｌ’は、放電開始電圧ＶＦｄｓ’および放電開始電圧ＶＦｓｄ’に達しないので、第２の放電セルに放電（誤放電）は発生せず、不要な発光も生じない。
【０１３２】
以上説明したように、第２の放電セルでは、書込み期間において走査電極２２に走査パルスを印加したときに、第２の放電セル内部の電圧Ｖｃｅｌ’が放電開始電圧ＶＦｄｓ’に達しないように、駆動電圧波形を設定する。これにより、第２の放電セルでは、書込み期間に書込み放電が発生するのを防止することができる。
【０１３３】
一方、第１の放電セルでは、走査電極２２に走査パルスを印加するときに、放電セル内部の電圧Ｖｃｅｌがほぼ放電開始電圧ＶＦｄｓになるように、駆動電圧波形を設定する。これにより、第１の放電セルでは、書込み期間に書込み放電を発生することができる。
【０１３４】
そして、このような駆動を行う条件をまとめると次のようになる。
【０１３５】
初期化期間において、走査電極２２に下り傾斜波形電圧を印加する際に第２のデータ電極３９に印加する電圧から第１のデータ電極３２に印加する電圧を減じた電圧を第１の電圧Ｖ１とする。書込み期間において、第２のデータ電極３９に印加する電圧から第１のデータ電極３２に印加する書込みパルスの低圧側電圧を減じた電圧を第２の電圧Ｖ２とする。このとき、少なくとも１つのサブフィールドで第１の電圧Ｖ１を第２の電圧Ｖ２よりも高い電圧に設定する。
【０１３６】
本実施の形態においては、全てのサブフィールドの初期化期間において、走査電極２２に下り傾斜波形電圧を印加する際に、第２のデータ電極３９に正極性の電圧Ｖｘを印加するとともに、第１のデータ電極３２に書込みパルスの低圧側電圧と等しい電圧０（Ｖ）を印加する。そのため、第１の電圧Ｖ１は、
第１の電圧Ｖ１＝電圧Ｖｘ−電圧０（Ｖ）＝電圧Ｖｘ
である。
【０１３７】
また、書込み期間において、第２のデータ電極３９に印加する電圧は電圧０（Ｖ）であり、第１のデータ電極３２に印加する書込みパルスの低圧側電圧も電圧０（Ｖ）である。したがって、第２の電圧Ｖ２は、
第２の電圧Ｖ２＝電圧０（Ｖ）−電圧０（Ｖ）＝電圧０（Ｖ）
である。したがって、全てのサブフィールドにおいて、第１の電圧Ｖ１は第２の電圧よりも高い電圧に設定されていることが分かる。
【０１３８】
次に、パネル１０を駆動するための駆動回路とその動作について説明する。
【０１３９】
図５は、本発明の実施の形態１におけるプラズマディスプレイ装置４０を構成する回路ブロックの一例を概略的に示す図である。
【０１４０】
本実施の形態に示すプラズマディスプレイ装置４０は、パネル１０と、パネル１０を駆動する駆動回路とを備えている。駆動回路は、画像信号処理回路４１、データ電極駆動回路４２、走査電極駆動回路４３、維持電極駆動回路４４、タイミング発生回路４５、第２のデータ電極駆動回路４９および各回路ブロックに必要な電源を供給する電源回路（図示せず）を備えている。
【０１４１】
画像信号処理回路４１は、入力された画像信号にもとづき、各放電セルに階調値を設定する。そして、その階調値を、サブフィールド毎の点灯・非点灯を示す画像データ（点灯・非点灯をデジタル信号の「１」、「０」に対応させたデータのこと）に変換する。すなわち、画像信号処理回路４１は、１フィールド毎の画像信号をサブフィールド毎の点灯・非点灯を示す画像データに変換する。そして、その画像データをデータ電極駆動回路４２へ送信する。
【０１４２】
画像信号処理回路４１に入力される画像信号は、赤の画像信号、緑の画像信号、青の画像信号であり、画像信号処理回路４１は、各色の画像信号にもとづき、各放電セルにＲ、Ｇ、Ｂの各階調値を設定する。なお、画像信号処理回路４１は、入力される画像信号が輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづき赤の画像信号、緑の画像信号、青の画像信号を算出し、その後、各放電セルにＲ、Ｇ、Ｂの各階調値（１フィールドで表現される階調値）を設定する。そして、各放電セルに設定したＲ、Ｇ、Ｂの階調値を、サブフィールド毎の点灯・非点灯を示す画像データに変換する。
【０１４３】
タイミング発生回路４５は、水平同期信号、垂直同期信号にもとづき、各回路ブロックの動作を制御する各種のタイミング信号を発生する。そして、発生したタイミング信号をそれぞれの回路ブロック（データ電極駆動回路４２、走査電極駆動回路４３、維持電極駆動回路４４、第２のデータ電極駆動回路４９、および画像信号処理回路４１等）へ供給する。
【０１４４】
走査電極駆動回路４３は、初期化波形発生回路、維持パルス発生回路、走査パルス発生回路（図５には示さず）を備え、タイミング発生回路４５から供給されるタイミング信号にもとづいて駆動電圧波形を作成し、走査電極ＳＣ１〜走査電極ＳＣｎのそれぞれに印加する。初期化波形発生回路は、タイミング信号にもとづき、初期化期間に、走査電極ＳＣ１〜走査電極ＳＣｎに印加する初期化波形を発生する。維持パルス発生回路は、タイミング信号にもとづき、維持期間に、走査電極ＳＣ１〜走査電極ＳＣｎに印加する維持パルスを発生する。走査パルス発生回路は、複数の走査電極駆動ＩＣ（走査ＩＣ）を備え、タイミング信号にもとづき、書込み期間に、走査電極ＳＣ１〜走査電極ＳＣｎに印加する走査パルスを発生する。
【０１４５】
維持電極駆動回路４４は、維持パルス発生回路、および電圧Ｖｅを発生する回路（図５には示さず）を備え、タイミング発生回路４５から供給されるタイミング信号にもとづいて駆動電圧波形を作成し、維持電極ＳＵ１〜維持電極ＳＵｎのそれぞれに印加する。維持期間では、タイミング信号にもとづいて維持パルスを発生し、維持電極ＳＵ１〜維持電極ＳＵｎに印加する。
【０１４６】
データ電極駆動回路４２は、画像信号処理回路４１から出力される各色の画像データおよびタイミング発生回路４５から供給されるタイミング信号にもとづき、各データ電極Ｄ１〜データ電極Ｄｍに対応する書込みパルスを発生する。そして、データ電極駆動回路４２は、その書込みパルスを書込み期間に各データ電極Ｄ１〜データ電極Ｄｍに印加する。
【０１４７】
第２のデータ電極駆動回路４９は、初期化期間において走査電極２２に下り傾斜波形電圧が印加される間は、正極性の電圧Ｖｘを第２のデータ電極３９に印加する。また、書込み期間では、正極性の電圧Ｖｘよりも低い電圧を第２のデータ電極３９に印加する。本実施の形態では、正極性の電圧Ｖｘよりも低い電圧として、電圧０（Ｖ）を書込み期間に第２のデータ電極３９に印加する。また、本実施の形態においては、維持期間においても、電圧０（Ｖ）を第２のデータ電極３９に印加する。
【０１４８】
次に、データ電極駆動回路４２および第２のデータ電極駆動回路４９について説明する。
【０１４９】
図６は、本発明の実施の形態１におけるプラズマディスプレイ装置４０の第１のデータ電極３２を駆動するデータ電極駆動回路４２の構成を概略的に示す回路図である。
【０１５０】
なお、図６には、各回路に入力される制御信号（タイミング発生回路４５から供給されるタイミング信号、および画像信号処理回路４１から供給される画像データ）の信号経路の詳細は省略する。
【０１５１】
データ電極駆動回路４２は、スイッチング素子Ｑ９１Ｈ１〜スイッチング素子Ｑ９１Ｈｍ、スイッチング素子Ｑ９１Ｌ１〜スイッチング素子Ｑ９１Ｌｍを有する。そして、画像データにもとづき（図面では、画像データの詳細は省略）、スイッチング素子Ｑ９１Ｌｊをオンにすることでデータ電極Ｄｊに電圧０（Ｖ）を印加し、スイッチング素子Ｑ９１Ｈｊをオンにすることでデータ電極Ｄｊに電圧Ｖｄを印加する。
【０１５２】
図７は、本発明の実施の形態１におけるプラズマディスプレイ装置４０の第２のデータ電極３９を駆動する第２のデータ電極駆動回路４９の構成を概略的に示す回路図である。
【０１５３】
第２のデータ電極駆動回路４９は、スイッチング素子Ｑ９５、ダイオードＤ９５、抵抗Ｒ９５、抵抗Ｒ９６を有する。
【０１５４】
抵抗Ｒ９５の一方の端子は電圧Ｖｘの電源に接続され、他方の端子は抵抗Ｒ９６を介して第２のデータ電極３９に接続されるとともに、スイッチング素子Ｑ９５を介して電圧０（Ｖ）の接地電位に接続されている。そして、スイッチング素子Ｑ９５をオンにすると第２のデータ電極３９に電圧０（Ｖ）が印加され、スイッチング素子Ｑ９５をオフにすると第２のデータ電極３９に電圧Ｖｘが印加される。
【０１５５】
抵抗Ｒ９６は、スイッチング素子Ｑ９５に過大な電流が流れないように設けられたものであり、ダイオードＤ９５は、スイッチング素子Ｑ９５に逆極性の電圧が印加しないように設けられたものである。
【０１５６】
本実施の形態においては、抵抗Ｒ９５を２２（ｋΩ）に設定し、抵抗Ｒ９６を１（ｋΩ）に設定している。しかし、これらの値は、パネル１０の仕様や、スイッチング素子Ｑ９５の仕様等によって最適に設定することが望ましい。
【０１５７】
（実施の形態２）
実施の形態１では、全てのサブフィールドの初期化期間において、走査電極２２に下り傾斜波形電圧を印加する際に、第２のデータ電極３９に正極性の電圧Ｖｘを印加し、第１のデータ電極３２に書込みパルスの低圧側電圧と等しい電圧０（Ｖ）を印加する例を説明した。そのため、実施の形態１では、全てのサブフィールドの初期化期間において、第２のデータ電極３９に、第１のデータ電極３２に印加する電圧よりも高い正極性の電圧Ｖｘを印加する。しかし、本発明は何らこの構成に限定されるものではない。
【０１５８】
実施の形態２では、１つのサブフィールドの初期化期間において、第２のデータ電極３９に、第１のデータ電極３２に印加する電圧よりも高い正極性の電圧Ｖｘを印加する例について説明する。
【０１５９】
実施の形態１に示したプラズマディスプレイ装置では、サブフィールドＳＦ１の初期化期間において全ての放電セルで強制初期化動作を行いながらパネル１０を駆動するが、実施の形態２におけるプラズマディスプレイ装置では、各放電セルで、複数フィールドに１回の割合で強制初期化動作を行いながらパネル１０を駆動する。したがって、実施の形態２におけるプラズマディスプレイ装置では、サブフィールドＳＦ１の初期化期間に、強制初期化動作を行う放電セルと強制初期化動作を行わない放電セルとが混在する。
【０１６０】
まず、実施の形態２におけるパネル１０を駆動するための駆動電圧波形とその動作の概要について説明する。
【０１６１】
図８は、本発明の実施の形態２におけるプラズマディスプレイ装置に用いるパネルの各電極に印加する駆動電圧波形を概略的に示す図である。
【０１６２】
図８には、書込み期間において最初に書込み動作を行う走査電極ＳＣ１、書込み期間において２番目に書込み動作を行う走査電極ＳＣ２、維持電極ＳＵ１〜維持電極ＳＵｎ、データ電極Ｄ１〜データ電極Ｄｍ、および第２のデータ電極３９のそれぞれに印加する駆動電圧波形を示す。また、図８には、サブフィールドＳＦ１、サブフィールドＳＦ２、サブフィールドＳＦ３の３つのサブフィールドの駆動電圧波形を示す。
【０１６３】
なお、図８には、走査電極ＳＣ１を有する放電セルで強制初期化動作を行い、走査電極ＳＣ２を有する放電セルでは強制初期化動作を行わない例を示す。
【０１６４】
なお、本実施の形態では、初期化期間において、強制初期化動作を行う放電セルと同じ行にある第２の放電セルの走査電極２２には、強制初期化動作を行う放電セルの走査電極２２と同じ駆動電圧波形を印加する。また、強制初期化動作を行わない放電セルと同じ行にある第２の放電セルの走査電極２２には、強制初期化動作を行わない放電セルの走査電極２２と同じ駆動電圧波形を印加する。
【０１６５】
まず、サブフィールドＳＦ１について説明する。
【０１６６】
サブフィールドＳＦ１の初期化期間の前半部では、データ電極Ｄ１〜データ電極Ｄｍに電圧０（Ｖ）を印加し、維持電極ＳＵ１〜維持電極ＳＵｎにも電圧０（Ｖ）を印加する。また、第２のデータ電極３９にも電圧０（Ｖ）を印加する。
【０１６７】
そして、強制初期化動作を行う走査電極ＳＣ１には、電圧０（Ｖ）を印加した後に電圧Ｖｉ１を印加し、電圧Ｖｉ１から電圧Ｖｉ２に向かって緩やかに上昇する上り傾斜波形電圧（ランプ電圧）を印加する。電圧Ｖｉ１は、放電セルに放電が発生しない電圧に設定し、電圧Ｖｉ２は、直前のサブフィールドの動作にかかわらず放電セルに初期化放電を発生する電圧よりも高い電圧に設定する。
【０１６８】
このランプ電圧が上昇する間に、走査電極ＳＣ１と維持電極ＳＵ１との間、および走査電極ＳＣ１とデータ電極Ｄ１〜データ電極Ｄｍとの間に、それぞれ微弱な初期化放電が持続して発生する。そして、走査電極ＳＣ１上に負極性の壁電圧が蓄積され、データ電極Ｄ１〜データ電極Ｄｍ上および維持電極ＳＵ１上には正極性の壁電圧が蓄積される。さらに、書込み放電の放電遅れ時間を短くするプライミングも発生する。
【０１６９】
また、走査電極ＳＣ１上にある第２の放電セルの走査電極ＳＣ１と維持電極ＳＵ１との間、および走査電極ＳＣ１と第２のデータ電極３９との間でもそれぞれ微弱な初期化放電が発生する。そして、第２のデータ電極３９上に正極性の壁電圧が蓄積される。
【０１７０】
一方、強制初期化動作を行わない走査電極ＳＣ２には、電圧Ｖｉ１を印加せず、電圧０（Ｖ）から電圧Ｖｉ５に向かって緩やかに上昇する上り傾斜波形電圧を印加する。電圧Ｖｉ５は放電が発生しない電圧に設定する。したがって、走査電極ＳＣ２上にある放電セルでは放電は発生しない。
【０１７１】
同様に、走査電極ＳＣ２上にある第２の放電セルにおいても放電は発生しない。
【０１７２】
サブフィールドＳＦ１の初期化期間の後半部では、維持電極ＳＵ１〜維持電極ＳＵｎには正極性の電圧Ｖｅを印加し、データ電極Ｄ１〜データ電極Ｄｍには電圧０（Ｖ）を印加する。このとき、第２のデータ電極３９には正極性の電圧Ｖｘを印加する。
【０１７３】
走査電極ＳＣ１〜走査電極ＳＣｎには、電圧Ｖｉ３から負極性の電圧Ｖｉ４に向かって緩やかに下降する下り傾斜波形電圧（ランプ電圧）を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【０１７４】
このランプ電圧を走査電極ＳＣ１〜走査電極ＳＣｎに印加する間に、サブフィールドＳＦ１の初期化期間の前半部で微弱な初期化放電を発生した放電セル、および直前のサブフィールドである前フィールドのサブフィールドＳＦ１０で維持放電を発生し過剰な壁電荷を蓄積している放電セルでは、微弱な初期化放電が発生する。
【０１７５】
そして、この初期化放電を発生した放電セルでは、走査電極２２上の負極性の壁電圧および維持電極２３上の正極性の壁電圧が弱められ、データ電極Ｄ１〜データ電極Ｄｍ上の正極性の壁電圧は、過剰な部分が放電され、書込み動作に適した壁電圧に調整される。さらに、書込み放電の放電遅れ時間を短くするプライミングも発生する。
【０１７６】
また、サブフィールドＳＦ１の初期化期間の前半部で微弱な初期化放電を発生した第２の放電セルにおいても微弱な初期化放電が発生し、その第２の放電セルの走査電極２２上および維持電極２３上の壁電圧が弱められる。
【０１７７】
一方、直前のサブフィールドである前フィールドのサブフィールドＳＦ１０で維持放電で放電を発生せず、サブフィールドＳＦ１の初期化期間の前半部でも初期化放電を発生しなかった放電セルでは、初期化放電は発生せず、それ以前の壁電圧が保持される。
【０１７８】
同様に、サブフィールドＳＦ１の初期化期間の前半部で初期化放電を発生しなかった第２の放電セルでも放電は発生しない。
【０１７９】
このようにして、サブフィールドＳＦ１の初期化期間における初期化動作が終了する。本実施の形態においては、サブフィールドＳＦ１の初期化期間において、強制初期化動作を行う放電セルと選択初期化動作を行う放電セルとが混在する。
【０１８０】
続くサブフィールドＳＦ１の書込み期間および維持期間では、実施の形態１のサブフィールドＳＦ１における書込み期間および維持期間と同様の駆動電圧波形を各電極に印加する。
【０１８１】
以上により、サブフィールドＳＦ１が終了する。
【０１８２】
次に、選択初期化サブフィールドであるサブフィールドＳＦ２について説明する。
【０１８３】
サブフィールドＳＦ２の初期化期間では、データ電極Ｄ１〜データ電極Ｄｍに正極性の電圧Ｖｇを印加し、第２のデータ電極３９には正極性の電圧Ｖｘを印加する。維持電極ＳＵ１〜維持電極ＳＵｎには電圧Ｖｅよりも高い電圧Ｖｈを印加する。
【０１８４】
走査電極ＳＣ１〜走査電極ＳＣｎには放電開始電圧未満となる電圧（例えば、電圧０（Ｖ））から電圧Ｖｉ６に向かって緩やかに下降する傾斜波形電圧（ランプ電圧）を印加する。電圧Ｖｉ６は、電圧Ｖｉ４と電圧Ｖｇとを加算した電圧と同程度の電圧に設定する。
【０１８５】
このランプ電圧を走査電極ＳＣ１〜走査電極ＳＣｎに印加する間に、直前のサブフィールド（図８では、サブフィールドＳＦ１）の維持期間に維持放電を発生した放電セルでは、微弱な初期化放電が発生する。そして、この初期化放電により、走査電極ＳＣｉ上および維持電極ＳＵｉ上の壁電圧が弱められる。また、データ電極Ｄｋ上に蓄積された壁電圧の過剰な部分が放電され、データ電極Ｄｋ上の壁電圧は書込み動作に適した壁電圧に調整される。
【０１８６】
一方、直前のサブフィールド（サブフィールドＳＦ１）の維持期間に維持放電を発生しなかった放電セルでは、初期化放電は発生せず、それ以前の壁電圧が保たれる。
【０１８７】
このとき、通常は、第２の放電セルで放電は発生しない。ただし、第２の放電セルの中には、隔壁３４に変形が生じる等して周辺の放電セルから電荷がもれ込み、誤放電の原因となる過剰な正の壁電圧を蓄積しているものがある。そして、このような第２の放電セルでは、微弱な放電が発生して壁電圧が弱められる。
【０１８８】
以上により、サブフィールドＳＦ２の初期化期間における選択初期化動作が終了する。
【０１８９】
サブフィールドＳＦ２の書込み期間では、サブフィールドＳＦ１の書込み期間と同様の駆動電圧波形を各電極に印加する。続く維持期間も、維持パルスの発生数を除き、サブフィールドＳＦ１の維持期間と同様の駆動電圧波形を各電極に印加する。
【０１９０】
サブフィールドＳＦ３以降の各サブフィールドでは、維持期間に発生する維持パルスの数を除き、サブフィールドＳＦ２と同様の駆動電圧波形を各電極に印加する。
【０１９１】
なお、本実施の形態においては、各電極に印加する電圧値を実施の形態１に示した各電圧値と同じ値に設定している。また、電圧Ｖｉ５＝２００（Ｖ）、電圧Ｖｉ６＝−１１０（Ｖ）、電圧Ｖｇ＝６０（Ｖ）、電圧Ｖｈ＝２００（Ｖ）に設定している。
【０１９２】
なお、電圧Ｖｇ＝電圧Ｖｄであれば、図６に示したデータ電極駆動回路４２を用いて、図８に示したデータ電極Ｄ１〜データ電極Ｄｍに印加する駆動電圧波形を発生することができる。また、電圧Ｖｇと電圧Ｖｄとが互いに異なる電圧であれば、例えば、図６に示したデータ電極駆動回路４２に、電圧Ｖｇを発生する電源と、電圧Ｖｇと電圧Ｖｄとを切り換えてスイッチング素子Ｑ９１Ｈ１〜スイッチング素子Ｑ９１Ｈｍに印加することができるスイッチング素子とを加えた回路を用いることで、図８に示したデータ電極Ｄ１〜データ電極Ｄｍに印加する駆動電圧波形を発生することができる。また、電圧Ｖｈ＝電圧Ｖｓであれば、維持電極駆動回路４４に備えられた維持パルスを発生する回路を用いて電圧Ｖｈのパルスを発生することができるので、維持電極駆動回路４４を用いて、図８に示した維持電極ＳＵ１〜維持電極ＳＵｎに印加する駆動電圧波形を発生することができる。
【０１９３】
しかし、これらの電圧値や傾斜波形電圧における勾配等の具体的な数値は単なる一例に過ぎず、本発明は、各電圧値や勾配が上述した数値に限定されるものではない。各電圧値や勾配等は、パネルの放電特性やプラズマディスプレイ装置の仕様等にもとづき最適に設定することが望ましい。
【０１９４】
次に、強制初期化動作を行う走査電極２２とフィールドとの関係について説明する。本実施の形態においては、強制初期化動作を行う走査電極２２を以下の規則にもとづき設定する。以下、強制初期化動作を行う走査電極２２を「特定の走査電極」とも記す。
【０１９５】
１つの走査電極２２に対して、時間的に連続するＮ個のフィールド（Ｎは自然数）のうち１つのフィールドで１回だけ強制初期化動作を行う場合、時間的に連続するＮ個のフィールドを１つのフィールド群とする。そして、連続して配置されたＮ本の走査電極２２を１つの走査電極群とする。
【０１９６】
その条件の下に、次のように規則１、規則２を定める。
【０１９７】
（規則１）１つの走査電極２２において、強制初期化動作を行うフィールドは、各フィールド群の中で１つである。
【０１９８】
（規則２）１つのフィールドで強制初期化動作を行う走査電極２２は、各走査電極群の中で１つである。
【０１９９】
さらに、Ｎが５以上のときには、次の規則３を定める。
【０２００】
（規則３）１つのフィールドにおいて強制初期化動作を行う走査電極ＳＣｉに隣接する走査電極ＳＣｉ−１および走査電極ＳＣｉ＋１では、少なくともそのフィールドと、そのフィールドの次のフィールドとで強制初期化動作を行わない。
【０２０１】
次に、この規則にもとづく強制初期化動作の発生パターンについて説明する。
【０２０２】
図９は、本発明の実施の形態２における強制初期化動作と選択初期化動作の発生パターンの一例を示す図である。図９において、横軸はフィールドを表し、縦軸は走査電極２２を表す。
【０２０３】
図９には、Ｎ＝５とし、時間的に連続する５つのフィールドを１つのフィールド群とするときの一例を示している。したがって、図９に示す例では、フィールドＦｊ、フィールドＦｊ＋１、フィールドＦｊ＋２、フィールドＦｊ＋３、フィールドＦｊ＋４が１つのフィールド群を構成し、走査電極ＳＣｉ、走査電極ＳＣｉ＋１、走査電極ＳＣｉ＋２、走査電極ＳＣｉ＋３、走査電極ＳＣｉ＋４が１つの走査電極群を構成している。
【０２０４】
なお、図９に示す「○」は、サブフィールドＳＦ１の初期化期間において強制初期化動作を行うことを表し、「×」は、サブフィールドＳＦ１の初期化期間において強制初期化動作を行わないことを表す。
【０２０５】
図９に示すように、走査電極ＳＣｉでは、各フィールド群の中の１つのフィールドで強制初期化動作を行う。すなわち、走査電極ＳＣｉでは、各フィールド群でそれぞれ１回ずつ強制初期化動作を行う。これは、他の走査電極２２についても同様である（規則１）。
【０２０６】
これにより、フィールド毎に全ての放電セルで強制初期化動作を行う場合と比較して、強制初期化動作の回数が５分の１に低減する。したがって、強制初期化動作により生じる発光も５分の１に低減され、その分、表示画像の黒輝度を低くすることができる。
【０２０７】
また、図９に示すように、フィールドＦｊでは、各走査電極群のそれぞれで１つの走査電極２２に強制初期化動作を行う。これは、他のフィールドについても同様である（規則２）。
【０２０８】
これにより、強制初期化動作を行う走査電極２２が各フィールドに分散するので、強制初期化動作を行う走査電極２２が１フィールドに集中する場合と比較して、フリッカー（画面がちらついて見える現象）を低減することができる。
【０２０９】
また、図９に示すように、走査電極ＳＣｉはフィールドＦｊで強制初期化動作を行い、走査電極ＳＣｉに隣接する走査電極ＳＣｉ−１および走査電極ＳＣｉ＋１は、フィールドＦｊおよびその次のフィールドＦｊ＋１では強制初期化動作を行わない。これは、他の走査電極２２についても同様である（規則３）。
【０２１０】
これにより、強制初期化動作を行う走査電極２２の時間的および空間的な連続性が低減するので、強制初期化動作にともなう発光が使用者に認識されにくくなる。
【０２１１】
また、実施の形態２においては、上述したように、サブフィールドＳＦ１の初期化期間では、走査電極２２に下り傾斜波形電圧を印加する際に、第２のデータ電極３９に正極性の電圧Ｖｘを印加するとともに、第１のデータ電極３２に書込みパルスの低圧側電圧と等しい電圧０（Ｖ）を印加する。そして、サブフィールドＳＦ２〜サブフィールドＳＦ１０の初期化期間では、走査電極２２に下り傾斜波形電圧を印加する際に、第２のデータ電極３９に正極性の電圧Ｖｘを印加するとともに、第１のデータ電極３２に書込みパルスの高圧側電圧と等しい電圧Ｖｄを印加する。
【０２１２】
したがって、少なくとも１つのサブフィールドＳＦ１の初期化期間において、「第１の電圧Ｖ１」は電圧Ｖｘである。これは、走査電極２２に下り傾斜波形電圧を印加する際に第２のデータ電極３９に印加する電圧Ｖｘから第１のデータ電極３２に印加する電圧０（Ｖ）を減じた電圧が「第１の電圧Ｖ１」であり、電圧Ｖｘ−電圧０（Ｖ）＝電圧Ｖｘとなるためである。
【０２１３】
また、「第２の電圧Ｖ２」は電圧０（Ｖ）である。これは、書込み期間において、第２のデータ電極３９に印加する電圧０（Ｖ）から第１のデータ電極３２に印加する書込みパルスの低圧側電圧０（Ｖ）を減じた電圧が「第２の電圧Ｖ２」であり、電圧０（Ｖ）−電圧０（Ｖ）＝電圧０（Ｖ）となるためである。
【０２１４】
したがって、少なくともサブフィールドＳＦ１では、「第１の電圧Ｖ１」は「第２の電圧Ｖ２」よりも高い電圧に設定されている。
【０２１５】
これにより、書込み期間および維持期間を通じて、第２の放電セル内部の電圧Ｖｃｅｌ’は、放電開始電圧ＶＦｄｓ’および放電開始電圧ＶＦｓｄ’に達しないので、第２の放電セルに放電（誤放電）は発生せず、不要な発光も生じない。
【０２１６】
なお、実施の形態１および実施の形態２においては、図３および図８に示したように、下り傾斜波形電圧を走査電極２２に印加するのは１つのサブフィールドで１回だけとする駆動電圧波形の例を示した。しかし、本発明は何らこの駆動電圧波形に限定されるものではない。
【０２１７】
図１０は、本発明の実施の形態２におけるプラズマディスプレイ装置に用いるパネル１０の各電極に印加する駆動電圧波形の他の例を概略的に示す図である。図１０には、１つのサブフィールドで複数回の下り傾斜波形電圧を走査電極２２に印加する駆動電圧波形の例を示す。
【０２１８】
なお、図１０には、書込み期間において最初に書込み動作を行う走査電極ＳＣ１、書込み期間において２番目に書込み動作を行う走査電極ＳＣ２、維持電極ＳＵ１〜維持電極ＳＵｎ、データ電極Ｄ１〜データ電極Ｄｍ、および第２のデータ電極３９のそれぞれに印加する駆動電圧波形を示す。また、図１０には、サブフィールドＳＦ１、サブフィールドＳＦ２、サブフィールドＳＦ３の３つのサブフィールドの駆動電圧波形を示す。
【０２１９】
例えば、図１０のサブフィールドＳＦ１に示すように、１つのサブフィールドで複数回の下り傾斜波形電圧を走査電極２２に印加する場合には、下り傾斜波形電圧を走査電極２２に印加する毎に、第２のデータ電極３９に正極性の電圧Ｖｘを印加するとともに第１のデータ電極３２に書込みパルスの低圧側電圧と等しい電圧０（Ｖ）を印加してもよい。
【０２２０】
あるいは、１つのサブフィールドで複数回の下り傾斜波形電圧を走査電極２２に印加する場合には、下り傾斜波形電圧を走査電極２２に印加する複数回のいずれかで、第２のデータ電極３９に正極性の電圧Ｖｘを印加するとともに第１のデータ電極３２に書込みパルスの低圧側電圧と等しい電圧０（Ｖ）を印加してもよい。なお、この駆動電圧波形例は図示していない。
【０２２１】
なお、下り傾斜波形電圧を走査電極２２に印加する期間は、書込み動作でも維持動作でもないので、このような期間が１つのサブフィールド内に複数回に分散していても、それぞれを実質的に初期化期間と考えてかまわない。
【０２２２】
なお、図１に示したパネル１０には、第２のデータ電極３９を覆う誘電体層３３上および隔壁３４の側面に蛍光体層３５がない。蛍光体層３５には、放電を阻害する働きがある。そのため、蛍光体層３５がない第２の放電セルは蛍光体層３５がある第１の放電セルと比較して、放電開始電圧が低下する。そのため、第２の放電セルは第１の放電セルに比べて放電（誤放電）が発生しやすい。しかし、本発明に示したパネルの駆動方法は、このようなパネル１０においても、第２の放電セルに誤放電が発生するのを防止することに関して、より高い効果を得ることができる。
【０２２３】
なお、図３、図８、図１０に示した駆動電圧波形は本発明の実施の形態における一例を示したものに過ぎず、本発明は何らこれらの駆動電圧波形に限定されるものではない。また、図６、図７に示した回路構成も本発明の実施の形態における一例を示したものに過ぎず、本発明は何らこれらの回路構成に限定されるものではない。
【０２２４】
なお、本発明における実施の形態では、１つのフィールドを１０のサブフィールドで構成する例を説明した。しかし、本発明は１フィールドを構成するサブフィールドの数が何ら上記の数に限定されるものではない。例えば、サブフィールドの数を１０よりも多くすることで、パネル１０に表示できる階調の数をより多くすることができる。あるいは、サブフィールドの数を１０よりも少なくすることで、１秒間に発生するフィールドの数をより多くすることができる。
【０２２５】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０２２６】
なお、本発明における実施の形態では、１画素を赤、緑、青の３色の放電セルで構成する例を説明したが、１画素を４色あるいはそれ以上の色の放電セルで構成するパネルにおいても、本発明における実施の形態に示した構成を適用することは可能であり、同様の効果を得ることができる。
【０２２７】
なお、本発明の実施の形態において示した具体的な数値は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、これらの各数値は、上述した効果を得られる範囲でのばらつきを許容するものとする。また、１フィールドを構成するサブフィールドの数や各サブフィールドの輝度重み等も本発明における実施の形態に示した値に限定されるものではなく、また、画像信号等にもとづいてサブフィールド構成を切り換える構成であってもよい。
【産業上の利用可能性】
【０２２８】
本発明は、第２の放電セルに誤放電が発生するのを防止し、第２の放電セルの発光による画像表示品質の低下を防止することができるので、パネルの駆動方法およびプラズマディスプレイ装置として有用である。
【符号の説明】
【０２２９】
１０    パネル
２１    前面基板
２２    走査電極
２３    維持電極
２４    表示電極対
２５，３３    誘電体層
２６    保護層
３１    背面基板
３２    （第１の）データ電極
３４    隔壁
３５，３５Ｒ，３５Ｇ，３５Ｂ    蛍光体層
３９    第２のデータ電極
４０    プラズマディスプレイ装置
４１    画像信号処理回路
４２    データ電極駆動回路
４３    走査電極駆動回路
４４    維持電極駆動回路
４５    タイミング発生回路
４９    第２のデータ電極駆動回路
Ｑ９５，Ｑ９１Ｈ１〜Ｑ９１Ｈｍ，Ｑ９１Ｌ１〜Ｑ９１Ｌｍ    スイッチング素子
Ｄ９５    ダイオード
Ｒ９５，Ｒ９６    抵抗
【図１】
2012049840.tif 000003
【図２】
2012049840.tif 000004
【図３】
2012049840.tif 000005
【図４Ａ】
2012049840.tif 000006
【図４Ｂ】
2012049840.tif 000007
【図５】
2012049840.tif 000008
【図６】
2012049840.tif 000009
【図７】
2012049840.tif 000010
【図８】
2012049840.tif 000011
【図９】
2012049840.tif 000012
【図１０】
2012049840.tif 000013
【国際調査報告】
2012049840.tif 000014
2012049840.tif 000015
2012049840.tif 000016
2012049840.tif 000017